(57)【要約】【課題】  受信処理対象の放送信号に対する自動利得制御の誤動作を抑制する。【解決手段】  周波数変換部２１０がＤＡＢ放送の放送波の周波数帯域である第１周波数帯域の第１放送信号の周波数変換を行ってダイレクト変換信号ＤＣＳを生成する。そして、レベル検出部２２０Bが、ダイレクト変換信号ＤＣＳのレベルを検出する。また、レベル検出部２３０が、ダイレクト変換信号ＤＣＳへのノイズ混入の起因となり得る放送波が存在し得る第２周波数帯域の第２放送信号のレベルを検出する。そして、制御部２４０が、レベル検出部２２０Bによる検出結果である検出レベルＬＡB、及び、レベル検出部２３０による検出結果である検出レベルＬＶFに基づいて、周波数変換部２１０における利得を制御する。【選択図】  図２
2016100812.tif 000002
【特許請求の範囲】
【請求項１】
第１周波数帯域の第１放送信号の周波数変換を行って周波数変換信号を生成する周波数変換部と；
前記周波数変換信号のレベルを検出する第１検出部と；
前記第１周波数帯域とは異なる周波数帯域である第２周波数帯域の第２放送信号のレベルを検出する第２検出部と；
前記第１検出部による検出結果と前記第２検出部による検出結果とに基づいて、前記周波数変換部における信号利得を制御する制御部と；
を備えることを特徴とする放送受信装置。
【請求項２】
前記周波数変換部は、
前記第１放送信号を増幅して、高周波増幅信号を生成する第１増幅部と；
前記高周波増幅信号を周波数変換した信号を増幅して、前記周波数変換信号を生成する第２増幅部と；を備え、
前記制御部は、前記第１増幅部の増幅率及び前記第２増幅部の増幅率を制御する、
ことを特徴とする請求項１に記載の放送受信装置。
【請求項３】
前記制御部は、
前記第１検出部による検出結果、前記第１増幅部の増幅率及び前記第２増幅部の増幅率に基づいて、前記第１放送信号のレベルを算出し、
前記算出された第１放送信号のレベルと、前記検出された第２放送信号のレベルとの比に基づいて、前記第１増幅部の増幅率及び前記第２増幅部の増幅率を制御する、
ことを特徴とする請求項２に記載の放送受信装置。
【請求項４】
前記周波数変換信号は、ベースバンド信号であり、
前記第１周波数帯域は、前記第２周波数帯域の２倍の周波数の帯域である、
ことを特徴とする請求項１〜３のいずれか一項に記載の放送受信装置。
【請求項５】
第１周波数帯域の第１放送信号の周波数変換を行って周波数変換信号を生成する周波数変換部と；前記周波数変換信号のレベルを検出する第１検出部と；前記第１周波数帯域とは異なる周波数帯域である第２周波数帯域の第２放送信号のレベルを検出する第２検出部と；を備える放送受信装置において使用される自動利得制御方法であって、
前記第１検出部による検出結果及び前記第２検出部による検出結果を取得する取得工程と；
前記取得工程における取得結果に基づいて、前記周波数変換部における信号利得を制御する制御工程と；
を備えることを特徴とする自動利得制御方法。
【請求項６】
放送受信装置が有するコンピュータに、請求項５に記載の自動利得制御方法を実行させる、ことを特徴とする自動利得制御プログラム。
【請求項７】
放送受信装置が有するコンピュータにより読み取り可能に、請求項６に記載の自動利得制御プログラムが記録されている、ことを特徴とする記録媒体。
【発明の詳細な説明】
【技術分野】
【０００１】
本発明は、放送受信装置、自動利得制御方法及び自動利得制御プログラム、並びに、当該自動利得制御プログラムが記録された記録媒体に関する。
【背景技術】
【０００２】
従来から、ラジオ放送として、アナログ放送であるＦＭ放送等と、デジタル放送であるデジタルオーディオ放送（以下、「ＤＡＢ放送」と記す）等とが行われている。こうしたアナログ放送とデジタル放送とは、大きく周波数帯域が異なっている。例えば、欧州では、ＤＡＢ放送の周波数帯域が、ＦＭ放送の周波数帯域のほぼ２倍の周波数の帯域となっている。
【０００３】
かかる放送環境下において、ＦＭ放送によるＤＡＢ放送に対する妨害を抑制するため、放送受信信号に対するフィルタリング処理を制御する技術が提案されている（特許文献１参照：以下、「従来例」と呼ぶ）。この従来例の技術では、ＤＡＢ放送による放送コンテンツを再生しようとする場合には、放送受信信号におけるＤＡＢ放送の周波数帯域の信号を選択的に通過させるフィルタリング処理を行って、高い周波数の信号に対する信号処理を行う高周波回路へ供給するようになっている。
【先行技術文献】
【特許文献】
【０００４】
【特許文献１】特開２００８−０５４２１７号公報
【発明の開示】
【発明が解決しようとする課題】
【０００５】
ところで、ラジオ放送の受信装置では、高周波数の放送受信信号を復調処理に適した周波数帯域の信号に変換する周波数変換が行われる。こうした周波数変換には、ベースバンド帯域に一挙に変換するダイレクト変換と、放送受信信号の周波数帯域とベースバンド帯域との中間の中間周波数帯域に変換する中間周波数変換とがある。
【０００６】
かかる周波数変換には、ＰＬＬ（Phase Lock Loop）方式を採用して生成された局部発振信号が一般的に利用される。こうしてＰＬＬ方式を採用して生成された局部発振信号には、所望の周波数成分以外に、当該所望の周波数成分の２，３，…倍の周波数を有する成分に加えて、当該所望の周波数成分の（１／２）倍等の１未満の定数倍の周波数成分が含まれ得る。
【０００７】
この結果、例えば、上述したような、ＤＡＢ放送の周波数帯域がＦＭ放送の周波数帯域のほぼ２倍の周波数の帯域となっている放送環境下においてＤＡＢ放送信号をダイレクト変換すると、ダイレクト変換後の信号に、ＦＭ放送信号に由来するノイズ成分が混入することがある。こうした事態の発生が発生すると、ＤＡＢ放送信号に対する自動利得制御の誤動作を招くことになる。
【０００８】
かかる自動利得制御の誤動作は、上述した従来例の技術によるフィルタリング処理により抑制される。しかしながら、ＤＡＢ放送信号のレベルが低く、かつ、ＦＭ放送信号のレベルが高い場合に、従来例の技術を適用して、ＦＭ放送信号に由来するノイズ成分を無視できることを保証するためには、フィルタリング処理の性能を非常に高いものとすることが必要となる。
【０００９】
このため、フィルタリング処理の性能に頼ることなく、ＤＡＢ放送信号に対する自動利得制御の誤動作を抑制することができる技術が望まれている。かかる要請に応えることが、本発明が解決すべき課題の一つとして挙げられる。
【課題を解決するための手段】
【００１０】
請求項１に記載の発明は、第１周波数帯域の第１放送信号の周波数変換を行って周波数変換信号を生成する周波数変換部と；前記周波数変換信号のレベルを検出する第１検出部と；前記第１周波数帯域とは異なる周波数帯域である第２周波数帯域の第２放送信号のレベルを検出する第２検出部と；前記第１検出部による検出結果と前記第２検出部による検出結果とに基づいて、前記周波数変換部における信号利得を制御する制御部と；を備えることを特徴とする放送受信装置である。
【００１１】
請求項５に記載の発明は、第１周波数帯域の第１放送信号の周波数変換を行って周波数変換信号を生成する周波数変換部と；前記周波数変換信号のレベルを検出する第１検出部と；前記第１周波数帯域とは異なる周波数帯域である第２周波数帯域の第２放送信号のレベルを検出する第２検出部と；を備える放送受信装置において使用される自動利得制御方法であって、前記第１検出部による検出結果及び前記第２検出部による検出結果を取得する取得工程と；前記取得工程における取得結果に基づいて、前記周波数変換部における信号利得を制御する制御工程と；を備えることを特徴とする自動利得制御方法である。
【００１２】
請求項６に記載の発明は、放送受信装置が有するコンピュータに、請求項５に記載の自動利得制御方法を実行させる、ことを特徴とする自動利得制御プログラムである。
【００１３】
請求項７に記載の発明は、放送受信装置が有するコンピュータにより読み取り可能に、請求項６に記載の自動利得制御プログラムが記録されている、ことを特徴とする記録媒体である。
【図面の簡単な説明】
【００１４】
【図１】本発明の一実施形態に係る放送受信装置の構成を概略的に示すブロック図である。
【図２】図１の前段処理ユニットの構成を示すブロック図である。
【図３】ＤＵ比の変化による図２における２種類の増幅部の増幅率の変化を説明するための図である。
【図４】図２の制御部の処理を説明するためのフローチャートである。
【発明を実施するための形態】
【００１５】
以下、本発明の一実施形態を、図１〜図４を参照して説明する。なお、以下の説明及び図面においては、同一又は同等の要素には同一の符号を付し、重複する説明を省略する。
【００１６】
［構成］
図１には、本発明の一実施形態に係る放送受信装置１００の概略的な構成がブロック図にて示されている。
【００１７】
なお、放送受信装置１００は、ＤＡＢ放送を受信する放送受信装置となっている。また、ＤＡＢ放送の周波数帯域は、ＦＭ放送の周波数帯域のほぼ２倍の周波数の帯域となっているものとする。
【００１８】
図１に示されるように、放送受信装置１００は、アンテナ１１０D，１００Fと、前段処理ユニット１２０と、後段処理ユニット１３０とを備えている。また、放送受信装置１００は、スピーカユニット１７０と、入力ユニット１８０と、制御ユニット１９０とを備えている。
【００１９】
上記のアンテナ１１０Dは、ＤＡＢ放送の放送波の受信用のアンテナである。アンテナ１１０Dによる受信結果は、信号ＲＦＳDとして、前段処理ユニット１２０へ送られる。
【００２０】
上記のアンテナ１１０Fは、ＦＭ放送の放送波の受信用のアンテナである。アンテナ１１０Fによる受信結果は、信号ＲＦＳFとして、前段処理ユニット１２０へ送られる。
【００２１】
上記の前段処理ユニット１２０は、アンテナ１１０Dから送られた信号ＲＦＳD、及び、アンテナ１１０Fから送られた信号ＲＦＳFを受ける。そして、前段処理ユニット１２０は、信号ＲＦＳD及び信号ＲＦＳFに基づいて、ベースバンド帯域のダイレクト変換信号ＤＣＳを生成する。こうして生成されたダイレクト変換信号ＤＣＳは、後段処理ユニット１３０へ送られる。
【００２２】
なお、前段処理ユニット１２０の構成の詳細については、後述する。
【００２３】
上記の後段処理ユニット１３０は、前段処理ユニット１２０から送られたダイレクト変換信号ＤＣＳを受ける。そして、後段処理ユニット１３０は、ダイレクト変換信号ＤＣＳに対して復調処理、復号処理、制御ユニット１９０から送られた音量調整指令ＶＬＣに従った音量調整処理、パワー増幅処理等を行って、出力音声信号ＡＯＳを生成する。こうして生成された出力音声信号ＡＯＳは、スピーカユニット１７０へ送られる。
【００２４】
上記のスピーカユニット１７０は、スピーカを備えている。このスピーカユニット１７０は、後段処理ユニット１３０から送られた出力音声信号ＡＯＳに従って、音声を出力する。
【００２５】
上記の入力ユニット１８０は、放送受信装置１００の本体部に設けられたキー部、あるいはキー部を備えるリモート入力装置等により構成される。ここで、本体部に設けられたキー部としては、不図示の表示ユニットに設けられたタッチパネルを用いることができる。また、キー部を有する構成に代えて、音声入力する構成を採用することもできる。入力ユニット１８０への入力結果は、入力データＩＰＤとして制御ユニット１９０へ送られる。
【００２６】
上記の制御ユニット１９０は、入力ユニット１８０から送られた入力データＩＰＤを受ける。この入力データＩＰＤの内容がＤＡＢ放送局の選局指定であった場合には、制御ユニット１９０は、指定されたＤＡＢ放送局（以下、「希望局」ともいう）からの放送波をベースバンドの信号に周波数変換するための周波数を指定した選局指令ＣＳＬDを生成して、前段処理ユニット１２０へ送る。また、制御ユニット１９０は、当該選局指令ＣＳＬDで指定された周波数に対応する希望局から送信される放送波の周波数帯域の（１／２）倍の周波数の帯域を指定した選局指令ＣＳＬFを生成して、前段処理ユニット１２０へ送る。さらに、入力データＩＰＤの内容が出力音声の音量調整指定であった場合には、制御ユニット１９０は、指定された音量調整指定に対応する音量調整指令ＶＬＣを生成して、後段処理ユニット１３０へ送る。
【００２７】
＜前段処理ユニット１２０の構成＞
次に、上記の前段処理ユニット１２０の構成について説明する。
【００２８】
前段処理ユニット１２０は、図２に示されるように、周波数変換部２１０と、レベル検出部２２０R，２２０Bと、利得設定部２２５R，２２５Bとを備えている。また、前段処理ユニット１２０は、レベル検出部２３０と、制御部２４０とを備えている。
【００２９】
上記の周波数変換部２１０は、アンテナ１１０Dから送られた信号ＲＦＳDを受ける。そして、周波数変換部２１０は、利得設定部２２５R，２２５Bから送られた利得指定ＧＳR，ＧＳBに従って、信号ＲＦＳDからダイレクト変換信号ＤＣＳを生成する。こうして生成されたダイレクト変換信号ＤＣＳは、後段処理ユニット１３０へ送られる。
【００３０】
かかる機能を有する周波数変換部２１０は、局部発振部（ＬＣＧ）２１１と、増幅部２１２と、ミキサ２１３とを備えている。また、周波数変換部２１０は、ローパスフィルタ（ＬＰＦ）部２１４と、増幅部２１５とを備えている。
【００３１】
上記の局部発振部２１１は、電圧制御発振器等の基本発振器及び分周器を備えるＰＬＬ方式を採用して構成されている。この局部発振部２１１は、制御ユニット１９０から送られた選局指令ＣＳＬDを受ける。そして、局部発振部２１１は、選局指令ＣＳＬDにおいて指定された周波数（ローカル周波数）の発振信号ＬＣＫを生成する。
【００３２】
なお、発振信号ＬＣＫには、当該ローカル周波数の成分と比べて非常に低いレベルではあるが、当該ローカル周波数の成分の高調波や低調波が混入している可能性がある。また、発振信号ＬＣＫのレベルは、既知であり、制御部２４０内に保持されるようになっている。
【００３３】
上記の増幅部２１２は、アンテナ１１０Dから送られた信号ＲＦＳDを受ける。そして、増幅部２１２は、利得設定部２２５Rから送られた利得指定ＧＳRに対応する増幅率ＧRで信号ＲＦＳDを増幅して、信号（高周波増幅信号）ＲＡＳを生成する。こうして生成された信号ＲＡＳは、ミキサ２１３及びレベル検出部２２０Rへ送られる。
【００３４】
上記のミキサ２１３は、局部発振部２１１から送られた発振信号ＬＣＫ、及び、増幅部２１２から送られた信号ＲＡＳを受ける。そして、ミキサ２１３は、発振信号ＬＣＫと信号ＲＡＳとを混合（乗算）して、選局された放送局から送信されたＤＡＢ放送信号のベースバンド成分を含む信号ＭＸＳを生成する。こうして生成された信号ＭＸＳは、ＬＰＦ部２１４へ送られる。
【００３５】
上記のＬＰＦ部２１４は、ミキサ２１３から送られた信号ＭＸＳを受ける。そして、ＬＰＦ部２１４は、ＤＡＢ放送信号のベースバンド成分が含まれる周波数領域の信号成分を選択的に通過させることにより、ベースバンド信号ＢＢＳを生成する。こうして生成されたベースバンド信号ＢＢＳは、増幅部２１５へ送られる。
【００３６】
上記の増幅部２１５は、ＬＰＦ部２１４から送られたベースバンド信号ＢＢＳを受ける。そして、増幅部２１５は、利得設定部２２５Bから送られた利得指定ＧＳBに対応する増幅率ＧBでベースバンド信号ＢＢＳを増幅して、ダイレクト変換信号ＤＣＳを生成する。こうして生成されたダイレクト変換信号ＤＣＳは、レベル検出部２２０B及び後段処理ユニット１３０へ送られる。
【００３７】
上記のレベル検出部２２０Rは、周波数変換部２１０の増幅部２１２から送られた信号ＲＡＳを受ける。そして、レベル検出部２２０Rは、信号ＲＡＳのレベルを検出する。こうして検出された信号ＲＡＳのレベルは、検出レベルＬＡRとして、利得設定部２２５Rへ送られる。
【００３８】
上記のレベル検出部２２０Bは、周波数変換部２１０の増幅部２１５から送られたダイレクト変換信号ＤＣＳを受ける。そして、レベル検出部２２０Bは、ダイレクト変換信号ＤＣＳのレベルを検出する。こうして検出されたダイレクト変換信号ＤＣＳのレベルは、検出レベルＬＡBとして、利得設定部２２５B及び制御部２４０へ送られる。
【００３９】
上記の利得設定部２２５Rは、レベル検出部２２０Rから送られた検出レベルＬＡR、及び、制御部２４０から送られたオフセット指定ＯＳRを受ける。そして、利得設定部２２５Rは、検出レベルＬＡR及びオフセット指定ＯＳRに基づいて、増幅部２１２の増幅率ＧRを指定した利得指定ＧＳRを生成する。こうして生成された利得指定ＧＳRは、増幅部２１２及び制御部２４０へ送られる。
【００４０】
上記の利得設定部２２５Bは、レベル検出部２２０Bから送られた検出レベルＬＡB、及び、制御部２４０から送られたオフセット指定ＯＳBを受ける。そして、利得設定部２２５Bは、検出レベルＬＡB及びオフセット指定ＯＳBに基づいて、増幅部２１５の増幅率ＧBを指定した利得指定ＧＳBを生成する。こうして生成された利得指定ＧＳBは、増幅部２１５及び制御部２４０へ送られる。
【００４１】
上記のレベル検出部２３０は、アンテナ１１０Fから送られた信号ＲＦＳFを受ける。そして、レベル検出部２３０は、制御ユニット１９０から送られた選局指定ＣＳＬFで指定された帯域（すなわち、選局中のＤＡＢ放送局から送信される放送波の周波数帯域の（１／２）倍の周波数の帯域）における信号ＲＦＳFの成分の信号レベルを検出する。こうして検出された信号レベルは、検出レベルＬＶFとして制御部２４０へ送られる。
【００４２】
なお、信号ＲＦＳFに基づいて検出レベルＬＶFを取得するための構成としては、様々な構成が考えられる。本実施形態では、レベル検出部２３０が、増幅部２１２，２１５に対応する増幅部の増幅率が既知の固定値であること、及び、ＬＰＦ部２１４に対応するフィルタ部がバンドパスフィルタ（ＢＰＦ）であることを除いて周波数変換部２１０と同様に構成された周波数変換部を備えている。また、レベル検出部２３０が、レベル検出部２２０Bと同様に構成されたレベル検出部とを備えている。そして、レベル検出部２３０では、当該レベル検出部２２０Bと同様に構成されたレベル検出部による検出結果と、増幅部の既知の増幅率と、局部発振部２１１に対応する局部発振部により生成された発振信号の既知のレベルとに基づいて、選局指令ＣＳＬFで指定された帯域のレベルを検出するようになっている。
【００４３】
上記の制御部２４０は、レベル検出部２２０Bから送られた検出レベルＬＡB、利得設定部２２５Rから送られた利得指定ＧＳR及び利得設定部２２５Bから送られた利得指定ＧＳB、並びに、レベル検出部２３０から送られた検出レベルＬＶFを受ける。引き続き、制御部２４０は、検出レベルＬＡB、利得指定ＧＳR，ＧＳB及び発振信号ＬＣＫの既知のレベルに基づいて、選局中のＤＡＢ放送局から送信される放送波の推定信号レベルである信号ＲＦＳDの信号レベルＬＶDを算出する。
【００４４】
なお、本実施形態では、算出された信号レベルＬＶDには、選局中のＤＡＢ放送局から送信される放送波の寄与分以外に、選局中のＤＡＢ放送局から送信される放送波の周波数帯域の（１／２）倍の周波数の帯域を利用して行われているＦＭ放送の放送波の寄与分が含まれている可能性があることを想定している。
【００４５】
次に、制御部２４０は、信号レベルＬＶDと検出レベルＬＶFとに基づいて、ＤＵ比（＝ＬＶD／ＬＶF）を算出する。そして、制御部２４０は、算出された信号レベルＬＶD及びＤＵ比に基づいて、内部に保持している信号レベルＬＶDとＤＵ比との組み合わせに関連付けられてオフセット値が登録されているオフセットテーブルを参照して、オフセット指定ＯＳR，ＯＳBを生成する。ここで、オフセットテーブルは、選局中のＤＡＢ放送局から送信される放送波に対応する信号に対して適切な自動利得制御を行うとの観点から、様々な信号レベルＬＶDとＤＵ比との組み合わせについての自動利得制御の誤動作量の測定結果に基づいて予め作成され、制御部２４０内に保持される。
【００４６】
こうして制御部２４０により生成されたオフセット指定ＯＳRは、利得設定部２２５Rへ送られる。また、生成されたオフセット指定ＯＳBは、利得設定部２２５Bへ送られる。なお、制御部２４０によるオフセット指定の生成処理の詳細については、後述する。
【００４７】
図３（Ａ）には、オフセット調整を行わず、検出レベルＬＡRのみによる自動利得制御を行う場合に、信号レベルＬＶD及びＤＵ比の変化に応じた増幅部２１２の増幅率ＧRの変化の例が示されている。ここで、実線は、ＤＵ比が非常に大きな場合（すなわち、信号レベルＬＶDに対して検出レベルＬＶFが無視できるほど小さな理想的な受信環境の場合）を示している。また、破線はＤＵ比が「α」の場合を示し、一点鎖線はＤＵ比が「β（＜α）」の場合を示している。
【００４８】
なお、図３（Ａ）では、検出レベルＬＶDが「ＬＶD1」であり、かつ、ＤＵ比が「β」の場合に、理想的な受信環境の場合と同等の利得で、選局中のＤＡＢ放送局から送信される放送波に対応する信号を増幅する際に必要な増幅部２１２の増幅率ＧRとするための利得オフセット量が、太線矢印で示されている。
【００４９】
図３（Ｂ）には、オフセット調整を行わず、検出レベルＬＡBのみによる自動利得制御を行う場合に、信号レベルＬＶD及びＤＵ比の変化に応じた増幅部２１５の増幅率ＧBの変化の例が示されている。ここで、図３（Ａ）と同様に、実線は、ＤＵ比が非常に大きな場合を示し、破線はＤＵ比が「α」の場合を示し、一点鎖線はＤＵ比が「β（＜α）」の場合を示している。
【００５０】
なお、図３（Ｂ）では、検出レベルＬＶDが「ＬＶD2」であり、かつ、ＤＵ比が「β」の場合に、理想的な受信環境の場合と同等の利得で、選局中のＤＡＢ放送局から送信される放送波に対応する信号を増幅する際に必要な増幅部２１５の増幅率ＧBとするための利得オフセット量が、太線矢印で示されている。
【００５１】
［動作］
次に、以上のように構成された放送受信装置１００の動作について、制御部２４０によるオフセット指定の生成処理に主に着目して説明する。
【００５２】
前提として、入力ユニット１８０には既に利用者により選局指定が入力されており、指定された希望局に対応する選局指令ＣＳＬDが、周波数変換部２１０の局部発振部２１１へ送られるとともに、選局指令ＣＳＬFが、レベル検出部２３０へ送られているものとする（図２参照）。また、入力ユニット１８０には既に利用者により音量調整指定が入力されており、指定された音量調整態様に対応する音量調整指令ＶＬＣが、後段処理ユニット１３０へ送られているものとする（図１参照）。
【００５３】
こうした状態で、アンテナ１１０Dで放送波を受信すると、信号ＲＦＳDが、アンテナ１１０Dから前段処理ユニット１２０へ送られる。前段処理ユニット１２０では、周波数変換部２１０の増幅部２１２が、信号ＲＦＳDを受ける。引き続き、増幅部２１２は、その時点で利得設定部２２５Rから送られている利得指定ＧＳRにより指定されている増幅率ＧRで信号ＲＦＳDを増幅し、信号ＲＡＳを生成する。そして、増幅部２１２は、信号ＲＡＳをミキサ２１３及びレベル検出部２２０Rへ送る（図２参照）。
【００５４】
信号ＲＡＳを受けると、レベル検出２２０Rは、信号ＲＡＳのレベルを検出する。そして、レベル検出２２０Rは、検出結果を、検出レベルＬＡRとして、利得設定部２２５Rへ送る（図２参照）。
【００５５】
検出レベルＬＡRを受けると、利得設定部２２５Rは、検出レベルＬＡRと、その時点で制御部２４０から送られているオフセット指定ＯＳRに基づいて、利得指定ＧＳRを生成する。そして、利得設定部２２５Rは、生成された利得指定ＧＳRを増幅部２１２へ送る（図２参照）。
【００５６】
上述したレベル検出部２２０R及び利得設定部２２５Rの動作と並行して、信号ＲＡＳを受けたミキサ２１３は、局部発振部２１１から送られた発振信号ＬＣＫと、信号ＲＡＳとを混合し、信号ＭＸＳを生成する。そして、ミキサ２１３は、生成された信号ＭＸＳをＬＰＦ部２１４へ送る（図２参照）。
【００５７】
信号ＭＸＳを受けると、ＬＰＦ部２１４は、選局中のＤＡＢ放送局から送信された放送信号のベースバンド成分が含まれる周波数領域の信号成分を選択的に通過させることにより、ベースバンド信号ＢＢＳを生成する。そして、ＬＰＦ部２１４は、生成されたベースバンド信号ＢＢＳを増幅部２１５へ送る（図２参照）。
【００５８】
ベースバンド信号ＢＢＳを受けると、増幅部２１５は、その時点で利得設定部２２５Bから送られている利得指定ＧＳBにより指定されている増幅率ＧBでベースバンド信号ＢＢＳを増幅して、ダイレクト変換信号ＤＣＳを生成する。そして、増幅部２１５は、生成されたダイレクト変換信号ＤＣＳを、レベル検出部２２０B及び後段処理ユニット１３０へ送る（図２参照）。
【００５９】
ダイレクト変換信号ＤＣＳを受けると、レベル検出部２２０Bは、ダイレクト変換信号ＤＣＳのレベルを検出する。そして、レベル検出部２２０Bは、検出結果を、検出レベルＬＡBとして、利得設定部２２５B及び制御部２４０へ送る（図２参照）。
【００６０】
検出レベルＬＡBを受けると、利得設定部２２５Bは、検出レベルＬＡBと、その時点で制御部２４０から送られているオフセット指定ＯＳBに基づいて、利得指定ＧＳBを生成する。そして、利得設定部２２５Bは、生成された利得指定ＧＳBを増幅部２１５及び制御部２４０へ送る（図２参照）。
【００６１】
上述した周波数変換部２１０、レベル検出部２２０R，２２０B及び利得設定部２２５R，２２５Bの動作と並行して、アンテナ１１０Fから送られた信号ＲＦＳFを受けたレベル検出部２３０は、選局中のＤＡＢ放送局から送信される放送波の周波数帯域の（１／２）倍の周波数の帯域における信号ＲＦＳFの成分の信号レベルを検出する。そして、レベル検出部２３０は、こうして検出された信号レベルを、検出レベルＬＶFとして制御部１９０へ送る。
【００６２】
＜制御部２４０によるオフセット指定の生成処理＞
次いで、制御部２４０によるオフセット指定の生成処理について説明する。
【００６３】
オフセット指定の生成処理に際しては、図４に示されるように、まず、ステップＳ１１において、制御部２４０が、レベル検出部２２０Bから送られた検出レベルＬＡB、利得設定部２２５Rから送られた利得指定ＧＳR及び利得設定部２２５Bから送られた利得指定ＧＳB、並びに、レベル検出部２３０から送られた検出レベルＬＶFを取得する。引き続き、ステップＳ１２において、制御部２４０が、検出レベルＬＡB、利得指定ＧＳR，ＧＳB及び発振信号ＬＣＫの既知のレベルに基づいて、信号ＲＦＳDの信号レベルＬＶDを算出する。
【００６４】
次に、ステップＳ１３において、制御部２４０が、ＤＵ比（＝ＬＶD／ＬＶF）を算出する。引き続き、ステップＳ１４において、制御部２４０が、算出された信号レベルＬＶD及びＤＵ比に基づいて、内部に保持しているオフセットテーブルを参照して、オフセット指定ＯＳR，ＯＳBを生成する。そして、ステップＳ１５において、制御部２４０が、生成されたオフセット指定ＯＳR，ＯＳBを利得設定部２２５R，２２５Bへ送る。
【００６５】
この結果、利得設定部２２５R，２２５Bは、新たなオフセット指定ＯＳR，ＯＳBに基づいて利得指定ＧＳR，ＧＳBを生成し、生成された利得指定ＧＳR，ＧＳBを増幅部２１２，２１５へ送る。
【００６６】
以上のようにして自動利得制御が行われて生成されたダイレクト変換信号ＤＣＳを受けると、後段処理ユニット１３０は、ダイレクト変換信号ＤＣＳに対して復調処理、復号処理、制御ユニット１９０から送られた音量調整指令ＶＬＣに従った音量調整処理、パワー増幅処理等を行って、出力音声信号ＡＯＳを生成する。そして、スピーカユニット１７０が、後段処理ユニット１３０から送られた出力音声信号ＡＯＳに従って、音声を出力する。
【００６７】
以上説明したように、本実施形態では、周波数変換部２１０がＤＡＢ放送の放送波の周波数帯域である第１周波数帯域の第１放送信号（ＤＡＢ放送信号）の周波数変換を行ってダイレクト変換信号ＤＣＳを生成する。そして、レベル検出部２２０Bが、ダイレクト変換信号ＤＣＳのレベルを検出する。
【００６８】
また、レベル検出部２３０が、ダイレクト変換信号ＤＣＳへのノイズ混入の起因となる放送波が存在し得る第２周波数帯域の第２放送信号（ＦＭ放送信号）のレベルを検出する。そして、制御部２４０が、レベル検出部２２０Bによる検出結果である検出レベルＬＡB、及び、レベル検出部２３０による検出結果である検出レベルＬＶFに基づいて、周波数変換部２１０における利得を制御する。
【００６９】
したがって、本実施形態によれば、ＦＭ放送の放送波に対応する成分が周波数変換部２１０に入力することを防止するために周波数変換部２１０の前段に配置されるフィルタ部によるフィルタリング処理の性能に頼ることなく、ＤＡＢ放送信号に対する自動利得制御の誤動作を合理的に抑制することができる。
【００７０】
また、本実施形態では、周波数変換部２１０が、上述した第１放送信号を含む信号ＲＦＳDを増幅して信号ＲＡＳを生成する増幅部２１２と、信号ＲＦＳDが周波数変換されたベースバンド信号ＢＢＳを増幅してダイレクト変換信号ＤＣＳを生成する増幅部２１５とを備える構成を採用する。そして、制御部２４０が、増幅部２１２の増幅率ＧR及び増幅部２１５の増幅率ＧBを制御する。このため、増幅対象となる周波数帯域ごとに適切な増幅部の構成を採用しつつ、周波数変換部２１０における利得を制御することができる。
【００７１】
また、本実施形態では、制御部２４０が、検出レベルＬＡB、増幅率ＧR及び増幅率ＧBに基づいて、上述した第１放送信号の信号レベルＬＶDを算出した後、レベルＬＶDとレベルＬＶFとの比をＤＵ比として算出する。そして、制御部２４０が、算出されたＤＵ比に基づいて、増幅率ＧR及び増幅率ＧBを制御する。このため、非常に合理的に、周波数変換部２１０における利得を制御することができる。
【００７２】
また、本実施形態では、ＤＡＢ放送信号の周波数変換としてダイレクト変換を採用するとともに、ダイレクト変換信号ＤＣＳにおけるノイズ成分の原因となる可能性がある放送波の周波数帯域を、ＤＡＢ放送信号の周波数帯域の（１／２）倍の周波数帯域としている。このため、ＤＡＢ放送の周波数帯域がＦＭ放送の周波数帯域のほぼ２倍の周波数の帯域となっている放送環境である欧州等において、ＤＡＢ放送信号をダイレクト変換する方式を採用しつつ、ＤＡＢ放送信号に対する自動利得制御を適切に行うことができる。
【００７３】
［実施形態の変形］
本発明は、上記の実施形態に限定されるものではなく、様々な変形が可能である。
【００７４】
例えば、上記の実施形態では、レベル検出部２３０の構成を上述のようにしたが、他の構成を採用するようにしてもよい。
【００７５】
また、上記の実施形態では、レベル検出部２３０を、選局中のＤＡＢ放送局から送信されるＤＡＢ放送信号の周波数帯域に対応するＦＭ放送信号の周波数帯域の信号レベルの検出専用とした。これに対し、レベル検出部２３０の機能を含むＦＭ放送の受信用のフロントエンド部をレベル検出部２３０に代えて配置するようにし、ＦＭ放送局の選局指定がなされた場合に、当該フロントエンド部から出力された信号に対して、ＦＭ放送に対応する信号処理を行って、ＦＭ放送番組を楽しめるようにしてもよい。
【００７６】
また、上記の実施形態では、レベル検出部２３０によるレベル検出対象となる信号の周波数帯域を、選局中の放送局から送信される放送信号の周波数帯域の（１／２）倍の周波数の帯域とした。これに対し、ＰＬＬ方式を採用した周波数変換用の局部発振部の仕様によりノイズ混入の起因となり得る周波数帯域であれば、その周波数帯域の信号レベルを検出するようにしてもよい。例えば、選局中の放送局から送信される放送信号の周波数帯域の（Ｑ／Ｐ）倍（Ｐ，Ｑ：自然数）の周波数の帯域がノイズ混入の起因となり得る周波数帯域であれば、その周波数帯域の信号レベルを検出するようにすればよい。
【００７７】
また、上記の実施形態では、信号ＲＦＳDを増幅部２１２に直接入力させる構成とした。これに対し、増幅部２１２の前段に、ノイズ混入の起因となり得る周波数帯域の信号レベルを低減するためのフィルタ部を配置するようにしてもよい。
【００７８】
また、上記の実施形態では、選局された放送局から送信された放送信号の周波数変換の方式をダイレクト変換方式としたが、ヘテロダイン方式の周波数変換方式を採用する場合にも本発明を適用することができる。
【００７９】
また、上記の実施形態では、選局対象となる放送局をＤＡＢ放送局としたが、他の種類の放送局を選局対象とする場合にも本発明を適用することができる。
【００８０】
なお、上記の実施形態における制御部を中央処理装置（ＣＰＵ：Central Processing Unit）、ＤＳＰ（Digital Signal Processor）等を備えた演算手段としてのコンピュータとして構成し、予め用意されたプログラムを当該コンピュータで実行することにより、上記の実施形態における処理の一部又は全部を実行するようにしてもよい。このプログラムはハードディスク、ＣＤ−ＲＯＭ、ＤＶＤ等のコンピュータで読み取り可能な記録媒体に記録され、当該コンピュータによって記録媒体から読み出されて実行される。また、このプログラムは、ＣＤ−ＲＯＭ、ＤＶＤ等の可搬型記録媒体に記録された形態で取得されるようにしてもよいし、インターネットなどのネットワークを介した配信の形態で取得されるようにしてもよい。
【符号の説明】
【００８１】
１００        …  放送受信装置
２１０        …  周波数変換部
２１２        …  増幅部（第１増幅部）
２１５        …  増幅部（第２増幅部）
２２０B       …  レベル検出部（第１検出部）
２３０        …  レベル検出部（第２検出部）
２４０        …  制御部
【図１】
2016100812.tif 000003
【図２】
2016100812.tif 000004
【図３】
2016100812.tif 000005
【図４】
2016100812.tif 000006